(57)【要約】  プロトコルデータの送信を用いる集中メッセージングサービスを含むモバイル・ブロードキャスト・ネットワークにおいてウィルス／スパムを防止する方法であって、  １つ以上のネットワークオペレータ（Ａ，Ｂ，Ｃ，．．．Ｎ）のネットワークコンポーネント間でのウィルス／スパム情報の交換を実現しやすくする機能が集中メッセージングサービスのプロトコルの中に含まれていることを特徴とする方法である。
2011504251.tif 000002
【特許請求の範囲】
【請求項１】
プロトコルデータの送信を用いる集中メッセージングサービスを含むモバイル・ブロードキャスト・ネットワークにおいてウィルス／スパムを防止する方法であって、
１つ以上のネットワークオペレータ（Ａ，Ｂ，Ｃ，．．．Ｎ）のネットワークコンポーネント間でのウィルス／スパム情報の交換を実現しやすくする機能が集中メッセージングサービスのプロトコルの中に含まれていることを特徴とする方法。
【請求項２】
種々のネットワークオペレータ（Ａ，Ｂ，Ｃ，．．．Ｎ）にそれらのネットワークオペレータのネットワーク要素の中でウィルスシグネチャのようなウィルスに関する情報、および／または、送信者のリストなどのようなスパムに関する情報を連続的に更新させることを特徴とする、請求項１に記載の方法。
【請求項３】
ウィルスおよび／またはスパム情報がネットワークオペレータの固有のネットワークもしくは他のオペレータのすべてのパートナーシステムまたはパートナーシステムの一部に配信されることを特徴とする、請求項１または２に記載の方法。
【請求項４】
受信側システムに、受信者によって決定された基準に基づいて、ウィルスおよび／またはスパム情報を受信側システム固有のウィルス／スパムライブラリに組み入れるかどうかを判定させることを特徴とする、請求項１から３のうちの一項に記載の方法。
【請求項５】
送信側メッセージングシステムの仲介機能による送信側メッセージングシステムからのウィルス／スパム情報の配信がこの仲介機能に連結されたすべてのオペレータへの配信によって自動的に行われることを特徴とする、請求項１から４のうちの一項に記載の方法。
【発明の詳細な説明】
【技術分野】
【０００１】
本発明は、請求項１のプリアンブルに記載された「オープン・モバイル・アライアンス」による標準化が進められている集中メッセージングサービスを用いるモバイル・ブロードキャスト・ネットワークにおいてウィルス／スパムを防止する方法に関する。
【背景技術】
【０００２】
コンピュータウィルスおよびスパム（受信者によって望まれない広告のようなメッセージの大量送信）は、インターネットのような現在のコンピュータネットワークにおいてますます重大な問題になっている。電子メールサービスのオペレータまたはインターネット・サービス・プロバイダは、局所的な解決策に訴えることによりこの問題に対処しようとする。
【０００３】
モバイル・ブロードキャスト・ネットワークにおいて現在提供されるメッセージングサービスおよび近い将来に期待されるメッセージングサービス（たとえば、集中メッセージングサービスなど）がインターネットによって提供される機能にさらに密接に近づき続けるならば、類似の問題が将来のモバイル・ブロードキャスト・ネットワークにおいても徐々に持ち上がることが想定されるであろう。
【０００４】
上記の問題は、各プロバイダによって、または、各プラットフォーム上で別々に、これまでは対処されている。しかし、プロバイダまたはプラットフォームの全体にわたる解決策は存在しない。
【０００５】
本願と同一出願人によって考案された特許文献１は、モバイル通信ネットワークにおいてユーザ端末機器への、および、ユーザ端末機器からのデータ送信にセキュリティ機能を提供する方法および機器に関する。ユーザ端末機器への、および、ユーザ端末機器からのデータストリームのリアルタイム分析がモバイル通信ネットワークのネットワークノードの中の機器に設けられ、ユーザまたはネットワークオペレータ／プロバイダによって前もって定義されたコンテンツを含むデータが認識され処理される。その結果として、端末機器、および、端末機器に連結されたユーザの任意の装置は外部からの攻撃から保護される。しかし、最適な保護を保証するため、データがユーザまたはネットワークオペレータ／プロバイダによって事前に指定されなければならない、という不利点がある。しかし、最適な保護は、余分なコストのかかるハードウェア／ソフトウェアを必要とし、その上、致命的なデータ（ウィルス／スパム）が即座に認識されないので、致命的なデータが受信者のネットワークおよびこのネットワークに連結されたネットワークの中を伝播する可能性がある。
【先行技術文献】
【特許文献】
【０００６】
【特許文献１】独国特許第１０２２６７４４Ｂ４号明細書
【発明の概要】
【発明が解決しようとする課題】
【０００７】
本発明は、ウィルスおよびスパムの広範囲にわたる蔓延に対抗するため、ネットワークおよびプラットフォーム境界を越えるウィルスおよびスパムに関する情報の交換を実現しやすくする集中メッセージングシステムのための方法を提供することを目的とする。
【課題を解決するための手段】
【０００８】
上記目的は請求項１の特徴によって解決される。
【０００９】
有利な改良は従属請求項に明らかにされている。
【００１０】
機能の基本的な構想は、集中メッセージングサービスのプロトコルにおいて機能の統合を行う。ネットワークオペレータのネットワークコンポーネント間、または、いくつかのネットワークオペレータ間でのウィルスまたはスパムに関する情報の交換を実現しやすくする。
【００１１】
種々のネットワークオペレータがそのネットワークオペレータのネットワークコンポーネントの中の（ウィルスシグネチャのような）ウィルスに関する情報およびスパムに関する情報（送信者リストなど）を継続的に更新するという仮定に基づいて、本発明は、「集中メッセージングサービス」のプロトコル要素を用いてこのような情報を、（ネットワークオペレータの固有のネットワークまたは他のオペレータのネットワークの中の）パートナーシステムの全部または一部に配信する。
【００１２】
受信側システムは、その後に、受信者によって定義されたある種の基準に基づいて、情報を受信者固有のウィルス／スパムライブラリに統合するかどうかを判定する。
【００１３】
このような「リンケージ」の利点は、起点ネットワークの中のウィルス／スパムを抑制し、他のネットワークへのウィルス／スパムの蔓延を阻止することを実現可能にするスパム／ウィルスに関する情報の交換から生じる。
【００１４】
さらに、本発明は、スパム／ウィルスに関する上記情報がいわゆる仲介機能によって、適切なプロトコル要素を用いてこの機能に連結されたすべてのオペレータへ自動的に転送されることもあるということも提供する。
【００１５】
本発明は一つの実施形態についての図面を参照して以下で説明される。図面および図面の説明は、発明に不可欠な発明のその他の特徴および利点を明らかにする。
【図面の簡単な説明】
【００１６】
【図１】第１の集中メッセージングシステムＡから第２の集中メッセージングシステムＢへのスパム／ウィルスデータの送信を示す図である。
【図２】「仲介機能」を用いる第１の集中メッセージングシステムＡからオペレータＡ、Ｂ、ＣからＮまでの複数の集中メッセージングシステムへのスパム／ウィルスデータの送信を示す図である。
【発明を実施するための形態】
【００１７】
図１は、現在のスパム／ウィルス情報を含む集中メッセージングサービスのプロトコル要素によって行われる、オペレータＡの第１の集中メッセージングシステムからオペレータＢの第２の集中メッセージングシステムへのスパム／ウィルスデータの送信を示している。
【００１８】
このスパム／ウィルス情報は、その後に、自動的または特定の方式でフィルターをかける、いずれかでオペレータＢの受信側メッセージングシステムのスパム／ウィルスデータベースに更新として追加されてもよい。
【００１９】
図２は、「中継機能」を用いるオペレータＡの第１の集中メッセージングシステムからオペレータＡ、Ｂ、ＣからＮまでの複数の集中メッセージングシステムへのスパム／ウィルスデータの送信を示している。
【００２０】
現在のスパム／ウィルス情報を含む集中メッセージングサービスのプロトコル要素を用いる送信はオペレータＡのメッセージングシステムの仲介機能によって行われ、この仲介機能はスパム／ウィルス情報をオペレータＢ、Ｃ、ＤからＮまでの受信側メッセージングシステムへ自動的に送信する。仲介機能は、スパム／ウィルス情報を受信するオペレータＢ、Ｃ、ＤからＮまでのメッセージングシステムについての、および、オペレータＢ、Ｃ、ＤからＮまでの特定のメッセージングシステムに送信されるべきスパム／ウィルス情報のコンポーネントについてのより詳細な定義を含んでいる。
【図１】
2011504251.tif 000003
【図２】
2011504251.tif 000004
【国際調査報告】
2011504251.tif 000005
2011504251.tif 000006
2011504251.tif 000007
2011504251.tif 000008